(57)【要約】      （修正有）【課題】溶解性紡織品の回收、再生、再利用を実現できる装置を提供する。【解決手段】調整池１、酸析タンク２、濾過機３を含み，調整池１の給液口に濾過格子が設けられ，酸析タンク２の給液口は輸送管路によって調整池１の排出口に接続され，濾過機３の給液口は輸送管路によって酸析タンク２の排出口に接続される濾過機３に排出口が生物学的処理システムに接続される膜濾過機５が設けられ，膜濾過機５の給液口は輸送管路によって濾過機３の排出口に接続される。【選択図】図１
0003208366.tif 000002
【実用新案登録請求の範囲】
【請求項１】
溶解性紡織品の回収、再生、再利用を実現できる装置であって，その特徴は以下のとおりである：調整池（１）、酸析タンク（２）、濾過機（３）を含み，調整池（１）の給液口装に濾過格子（４）が設けられ，酸析タンク（２）の給液口は輸送管路によって調整池（１）の排出口に接続され，濾過機（３）の給液口は輸送管路によって酸析タンク（２）の排出口に接続される；
濾過機（３）に排出口が生物学的処理システム（６）に接続される膜濾過機（５）が設けられ，膜濾過機（５）の給液口は輸送管路によって濾過機（３）の排出口に接続される。
【請求項２】
請求項１に記載の溶解性紡織品の回収、再生、再利用を実現できる装置であって，その特徴は以下のとおりである：前記酸析タンク（２）に酸注入ポンプ（７）が設けられ，酸注入ポンプ（７）の排出口は輸送管路によって酸析タンク（２）のチャンバーに接続される。
【請求項３】
請求項１に記載の溶解性紡織品の回収、再生、再利用を実現できる装置であって，その特徴は以下のとおりである：前記濾過機（３）は遠心濾過機である。
【請求項４】
請求項１記載の溶解性紡織品の回収、再生、再利用を実現できる装置であって，その特徴は以下のとおりである：前記濾過機（３）はフィルタプレスである。
【考案の詳細な説明】
【技術分野】
【０００１】
本実用新案は紡織品の回収利用の技術分野に関し，特に溶解性紡織品の回收、再生、再利用を実現できる装置に関する。
【背景技術】
【０００２】
世界中に数え切れない織品製品が廃棄されて再利用できず，或いは低いレベルで使用され，これはリソースの巨大な浪費及び二次汚染を引き起こす。従来の紡織繊維は容易に処理及び回収する技術と製品がなく，その要因は紡織品の原料構成、色、完成衣類の付属品が複雑であること；及び生地構造が緊密で，開毛後に繊維損傷が大きくて，利用価値が低いことである。
現在，市場においてはモノファイバー製カシミアウール、アラミド繊維等の価値の高い紡織品のみ，開毛、梳綿を行い，それにより強度の低い繊維及び長さの短い繊維を取得し，低い価値の再利用を行う。
もう一つの回収ルートは，ＰＥＴボルトを回収し，続いて洗浄、造粒してＰＥＴ繊維を得るが，この製造された繊維紡織品は，最終的に利用することができず，廃棄物及び汚染物になる。或いは回収された純粋のｐｅｔ衣装を，高温溶融及び化学アルコール分解法によって，ｐｔａを得るが，この方法はコストが高く，且つ１００％ｐｅｔの生地のみが対象とされ，混紡品であるその他の非ＰＥＴの生地が，適用されない。
【考案の概要】
【考案が解決しようとする課題】
【０００３】
本実用新案の目的は従来技術の不足に対して溶解性紡織品の回収、再生、再利用を実現できる装置を提供することであって，該溶解性紡織品の回収、再生、再利用を実現できる装置は構造設計が斬新で，それは効果的に溶解性紡織品の回収、再生、再利用を実現できる。
【課題を解決するための手段】
【０００４】
上記目的を達成するために，本実用新案は以下の技術的解決手段によって実現する。
溶解性紡織品の回收、再生、再利用を実現できる装置であって，調整池、酸析タンク、濾過器を含み，調整池の給液口に濾過格子が設けられ，酸析タンクの給液口は輸送管路によって調整池の排出口に接続され，濾過機の給液口は輸送管路によって酸析タンクの排出口に接続される；
濾過機に排出口が生物学的処理システムに接続される膜濾過機が設けられ，膜濾過機の給液口は輸送管路によって濾過機の排出口に接続される。
そのうち，前記酸析タンクに酸注入ポンプが設けられ，酸注入ポンプの排出口は輸送管によって酸析タンクのチャンバーに接続される。
そのうち，前記濾過機は遠心濾過機である。
そのうち，前記濾過機はフィルタプレスである。
【考案の効果】
【０００５】
本実用新案の有益な効果は以下のとおりである：本実用新案の前記溶解性紡織品の回收、再生、再利用を実現できる装置は，調整池、酸析タンク、濾過機を含み，調整池の給液口に濾過格子が設けられ，酸析タンクの給液口は輸送管路によって調整池の排出口に接続され，濾過機の給液口は輸送管路によって酸析タンクの排出口に接続される；濾過機に排出口が生物学的処理システムに接続される膜濾過機が設けられ，膜濾過機の給液口は輸送管路によって濾過機の排出口に接続される。上記構造設計により，本実用新案は溶解性紡織品の効果的回収、再生、再利用を実現することができ，つまり本実用新案は構造設計が斬新で、普及の将来性が高いという特徴を有する。
【０００６】
以下に付図によって本実用新をさらに説明するが，付図の実施例は本実用新案を制限することは一切ない。
【図面の簡単な説明】
【０００７】
【図１】図１は本実用新案の構造イメージ図である。
【符号の説明】
【０００８】
１--調整池              
２--酸析タンク
３--濾過機              
４--濾過格子
５--膜濾過機          
６--生物学的処理システム
７--酸注入ポンプ。
【考案を実施するための形態】
【０００９】
以下に具体的な実施方式を合わせて本実用新案を説明する。
図１のように，溶解性紡織品の回收、再生、再利用を実現できる装置であって，調整池１、酸析タンク２、濾過機３を含み，調整池１の給液口に濾過格子４が設けられ，酸析タンク２の給液口は輸送管路によって調整池１の排出口に接続され，濾過機３の給液口は輸送管路によって酸析タンク２の排出口に接続される。
さらに，濾過機３に排出口が生物学的処理システム６に接続される膜濾過機５が設けられ，膜濾過機５の給液口は輸送管路によって濾過機３の排出口に接続される。
そのうち，酸析タンク２に酸注入ポンプ７が設けられ，酸注入ポンプ７の排出口は輸送管路によって酸析タンク２のチャンバーに接続される。
さらに説明が必要なのは，濾過機３は遠心濾過機又はフィルタプレスである；勿論，上記濾過機３のタイプは本実用新案の制限にならず，つまり本実用新案の濾過機３はその他のタイプの濾過機３を使用することが可能になる。
【００１０】
本実用新案の作業過程において，まず溶解性紡織品を酸化ナトリウム溶液に入れてアルカリ融解を行い，溶解性紡織品をアルカリ融解することで排出される溶解液を濾過格子４で濾過後に調整池１へ送り，ここで，濾過格子４によって水中における大きい粒子物及びその他の大径汚染物，例えば不純物等の漂流物を止め，調整池１は水量を緩和し、水質を均一化し、大きい個体粒子物を沈殿するのに用いられ，後続のプロセスの処理に役立つ；調整池１に送られた溶解液を輸送管路によって酸析タンク２に送り，酸析タンク２は酸注入ポンプ７によってそのチャンバーに酸液が注入され，酸液と溶解液を酸析タンク２で攪拌後にＰＨ値が３−４の廃水を得て，この過程において，テレフタル酸が析出される；酸液とアルカリ融解液が酸析タンク２に十分に反応後に，酸析タンク２における廃水を輸送管路によって濾過機３に送って濾過処理を行い，それによりテレフタル酸を分離する；濾過機３で濾過脱水して，分離されるテレフタル酸を要件に応じて，洗浄するかどうかを決め，袋詰めで保存して輸送を待つ；その他，濾過機３によってテレフタル酸を濾過された廃水を輸送管路によって膜濾過機５に送り，膜濾過機５で廃水におけるエチレングリコールを分離し，この際廃水のＣＯＤがさらに低下し，印染廃水の排出要求を満たし，且つ工場の生物学的汚水処理システムに入る。
【００１１】
さらに説明が必要なのは，溶解性紡織品をアルカリ融解している過程において，溶解性紡織品における溶解性繊維が溶解され，溶解性紡織品における非溶解繊維が析出される；非溶解繊維の場合は，ジメチルアセトアミドＤＭＡＣ液体を加え，浴比は１：１で，温度は９５°で，３０分経過後に，ジメチルアセトアミドＤＭＡＣ液体を排出して且つ液体回収機に保存し，次のタンクで再利用される；非溶解繊維はさらに順次に脱色及び漂白を行い，ここで還元脱色プロセスによって脱色処理し，消毒、脱色、漂白された棉繊維開毛集合体は，さらに必要に応じて通常の漂白棉の染色プロセスで染色乾燥することもでき，漂白開毛集合体でそのまま乾燥することもでき，最後に上記乾燥された棉繊維を，柔らかに梳綿、開毛を行い，繊維強度、長さの損傷が小さく，元繊維の可紡性及び衣装利用性を保ち，高品質の再生棉繊維を得て，棉繊維を後続再利用して高品質の紡績糸を生産することができる。
【００１２】
上記を踏まえて，上記構造設計により，本実用新案は溶解性紡織品の効果的回收、再生、再利用を実現することができ，つまり本実用新案は構造設計が斬新で、普及の将来性が高いというメリットを有する。
【００１３】
上記の内容は本実用新案の好ましい実施例だけであって，本分野の普通の技術者が，本実用新案の考え方に従い，具体的な実施方式及び応用範囲で変更するところがあり，本説明書の内容を本実用新案を制限するものと捉えてはいけない。
【図１】
0003208366.tif 000003